(57)【特許請求の範囲】
【請求項１】
入力ビデオを表わす第１のビデオ信号に結合され、帰線期間を表わす第２の信号に応答して、第１のブランキング期間を有しかつ前記入力ビデオを含む第２のビデオ信号を発生する手段を有し、
前記入力ビデオの入力ブランキング期間を表わす第３の信号と偏向に同期した第１の信号とに応答して、前記第２の信号を発生して前記帰線期間に対する前記第１のブランキング期間の位相を制御する手段を有する、ブランキング期間を制御する装置。
【請求項２】
前記第２の信号を発生する手段が、フィードバック・ループを有する、請求項１に記載されたブランキング期間を制御する装置。
【請求項３】
前記第２のビデオ信号を発生する手段が、ブランキング発生器、サンドキャスル信号発生器およびビデオ・プロセッサを有する、請求項２に記載されたブランキング期間を制御する装置。
【請求項４】
前記第２の信号を発生する手段が、位相−直流変換器を有する、請求項２に記載されたブランキング期間を制御する装置。
【請求項５】
偏向に同期した信号の信号源と、
前記同期した信号に応答して帰線期間を表わす信号を発生する手段と、
出力ビデオ信号のブランキング期間を表わすブランキング信号を発生する手段と、を有し、
前記帰線期間を表わす信号と前記ブランキング信号とに応答して、前記帰線期間に対する前記ブランキング期間のタイミングを表わす制御信号を発生する手段と、
前記制御信号に応答して、前記帰線期間に対する前記ブランキング期間の位相を調整する手段と、を有する、ブランキング期間を制御する装置。
【請求項６】
前記ブランキング期間の位相を調整する手段が、フィードバック・ループである、請求項５に記載されたブランキング期間を制御する装置。
【請求項７】
前記ブランキング信号を発生する手段が、ブランキング発生器、サンドキャスル信号発生器およびビデオ・プロセッサを有する、請求項５に記載されたブランキング期間を制御する装置。
【請求項８】
前記制御信号を発生する手段が、位相−直流変換器を有する、請求項５に記載されたブランキング期間を制御する装置。
【請求項９】
帰線期間を表わす信号を発生する手段と、
ビデオ信号のブランキング期間を表わすブランキング信号を発生する手段と、を有し、
前記帰線期間を表わす信号と前記ブランキング信号とに応答して、前記ブランキング期間と前記帰線期間との間のタイミング差を表わすエラー信号を発生する手段と、
前記エラー信号に応答して、前記帰線期間に対する前記ブランキング期間のタイミングを調整する手段と、
を有する、ブランキング期間を制御する装置。
【発明の詳細な説明】
産業上の利用分野
この発明は、例えば水平ブランキング信号の発生というような、ビデオ同期システムの分野に関するものである。
発明の背景
テレビジョンでは、走査の帰線（リトレース・ライン）を消すために、ブランキング・パルスが使用されている。そのブランキング時間は代表的な帰線時間の値よりも僅かに長い。そのために、各走査線のスタート部分と終端部分とで走査部の一部が消去され、ラスタの左右両側辺に黒いバーが生じる。しかし、このブランキング・バーは、ラスタの左右両側辺の過走査部分に現れるので、視聴者には見えない。従って、この両側辺におけるブランキング・バーは、画面の側辺ぎりぎりの部分でその幅を僅かに狭めるだけで、通常、画面には悪影響を及ぼさない。しかし、帰線動作（リトレース）中ブランキング・パルスの中心がずれると問題が起きる。ブランキングの中心がずれていると、過走査領域でブランキングを行なわない限り、視聴者はラスタの左端に黒いバーの形をしたビデオ消去部を見るか、ラスタの右端にフォールドオーバ（ｆｏｌｄｏｖｅｒ）と呼ばれる状態を見ることになる。過走査領域を大きくすると有効な（アクティブ）ビデオ領域が短くなる。
通常、ブランキング・パルスは、例えばフィリップス社製の集積回路ＴＤＡ９０８０のような、オープンループ・システム中でビデオと合成される。ブランキング発生器は、普通のビデオ・プロセッサからＲ・Ｇ・Ｂビデオ信号を、またフィリップス社製ＴＤＡ９０６４におけるようなサンドキャスル（ｓａｎｄｃａｓｔｌｅ）発生器からサンドキャスル信号の形をしたブランキング情報を、受け取る。ブランキング情報を含んだ、この合成されたビデオ信号は、次にＣＲＴ（陰極線管）のカソードに供給される。このすべての動作は、オープンループ中で行なわれ、帰線（リトレース）パルスに対して最大２マイクロ秒もの遅延を導入する可能性がある。この過大な遅延があるために、大幅な過走査を行なうことを要する場合があるという不利がある。
米国特許第４，７６７，９７１号には、持続時間の長いブランキング・パルスを発生するためのブランキング・パルス発生回路を設けることが開示されている。そこでは、フライバック・パルス成形回路がフライバック・パルスを成形して矩形波信号を発生している。フロント・パルス発生回路は、この矩形波信号の前端に対するフロント・パルスを発生する。この矩形波信号に上記のフロント・パルスを加えることによってブランキング・パルスが形成される。リヤ・パルスも同様にして加えられる。ブランキング・パルスは、水平ブランキングの位相が遅延したとき問題が生じないように、充分なパルス幅を有する形で発生させられる。
しかし、上記の参考特許には、この発明の請求の範囲に記載されたような、帰線期間に対するブランキング期間の位相を調整すなわち制御することが、全く記載されていない。
発明の概要
この発明の構成による装置は、偏向に同期した第１の信号の信号源を持っており、この第１の信号は帰線期間（リトレース  インターバル）を表わす第１の部分を含んでいる。また、第１のビデオ信号に結合されかつ帰線期間を表わす第２の信号に応動してブランキング期間を有する第２のビデオ信号を発生する手段と、ビデオブランキング期間を表わす第３の信号と上記第１の信号に応動して上記第２の信号を発生して帰線期間に対するブランキング期間の位相を制御するようにする手段と、を具えている。
請求の範囲と実施例との対応関係を図面で使われている参照符号で示すと次の通りである。
１．入力ビデオを表わす第１のビデオ信号（合成ビデオ）に結合され、帰線期間を表わす第２の信号（Ｈ−ＲＥＦ）に応答して、第１のブランキング期間を有しかつ前記入力ビデオを含む第２のビデオ信号（ＶＩＤＡ）を発生する手段（１０）を有し、
前記入力ビデオの入力ブランキング期間を表わす第３の信号（Ｈ−ＢＬＫ）と偏向に同期した第１の信号（ＦＬＹ）とに応答して、前記第２の信号（Ｈ−ＲＥＦ）を発生して前記帰線期間に対する前記第１のブランキング期間の位相を制御する手段（３、５、６）を有する、ブランキング期間を制御する装置。
２．前記第２の信号（Ｈ−ＲＥＦ）を発生する手段（３、５、６）が、フィードバック・ループを有する、請求項１に記載されたブランキング期間を制御する装置。
３．前記第２のビデオ信号（ＶＩＤＡ）を発生する手段（１０）が、ブランキング発生器、サンドキャスル信号発生器およびビデオ・プロセッサを有する、請求項２に記載されたブランキング期間を制御する装置。
４．前記第２の信号（Ｈ−ＲＥＦ）を発生する手段が、位相−直流変換器（３）を有する、請求項２に記載されたブランキング期間を制御する装置。
５．偏向に同期した信号（ＦＬＹ）の信号源（１５）と、
前記同期した信号に応答して帰線期間を表わす信号（ＦＢＰ′）を発生する手段（１）と、
出力ビデオ信号のブランキング期間を表わすブランキング信号（Ｈ−ＢＬＫ）を発生する手段（１０）と、を有し、
前記帰線期間を表わす信号と前記ブランキング信号とに応答して、前記帰線期間に対する前記ブランキング期間のタイミングを表わす制御信号(ＶＲ１またはＶＲ２）を発生する手段（３）と、
前記制御信号に応答して、前記帰線期間に対する前記ブランキング期間の位相を調整する手段（５）と、を有する、ブランキング期間を制御する装置。
６．前記ブランキング期間の位相を調整する手段（５）が、フィードバック・ループである、請求項５に記載されたブランキング期間を制御する装置。
７．前記ブランキング信号を発生する手段（１０）が、ブランキング発生器、サンドキャスル信号発生器およびビデオ・プロセッサを有する、請求項５に記載されたブランキング期間を制御する装置。
８．前記制御信号を発生する手段（３）が、位相−直流変換器を有する、請求項５に記載されたブランキング期間を制御する装置。
９．帰線期間を表わす信号（ＦＢＰ′）を発生する手段（１）と、
ビデオ信号（ＶＩＤＡ）のブランキング期間を表わすブランキング信号（Ｈ−ＢＬＫ）を発生する手段（１０）と、を有し、
前記帰線期間を表わす信号と前記ブランキング信号とに応答して、前記ブランキング期間と前記帰線期間との間のタイミング差を表わすエラー信号（ＥＲ１、ＥＲ２）を発生する手段（３）と、
前記エラー信号に応答して、前記帰線期間に対する前記ブランキング期間のタイミングを調整する手段（５）と、
を有する、ブランキング期間を制御する装置。
【図面の簡単な説明】
図１は、この発明の構成による水平ブランキング発生器のブロック図である。
図２（ａ）〜（ｆ）は、図１に示した構成の動作説明に役立つタイミング図である。
図３は、図１の水平ブランキング発生器を構成する詳細な回路図である。
発明の詳細な説明
図１と図２は、ブロック図とそれに対応する波形とを、それぞれ示している。偏向回路１５から取り出されたフライバック・パルスＦＬＹは、ＦＢＰ検知器１によって基準パルスＦＢＰ′として検出され、図２ａに示されたように、水平偏向電流の帰線部分のタイミング情報となる。このフライバック基準パルスＦＢＰ′の時間幅（持続時間）はｔb〜ｔfである。このパルスは位相−ＤＣ（直流）変換器３に対する基準入力となる。水平ブランキング信号Ｈ−ＢＬＫは、図２ｂに示すように、ビデオ出力増幅器の入力におけるビデオ信号からＨ−ＢＬＫ検出器４によって取り出される。このブランキングおよびビデオ情報はビデオ出力信号ＶＩＤＡの形に合成されている。図２ｂが示すように、ブランキング信号はビデオ出力信号ＶＩＤＡ中で遅延している。
ブランキング信号は、位相−直流変換器３内でフライバック基準パルスと比較される。この比較操作の結果、図２ｃに示すように、２つのエラー信号ＥＲ１とＥＲ２が発生する。ＥＲ１はブランキング信号の前端部（時点ｔb）を表わし、ＥＲ２は後端部（時点ｔf）を表わしている。ＥＲ１（期間ｔb−ｔd）とＥＲ２（期間ｔf−ｔg）の幅は、ブランキング信号の各端縁のタイミング誤差に比例している。
ＥＲ１とＥＲ２とは、図２ｄに示されるように、２つの直流信号ＶＲ１とＶＲ２に変換される。これらの信号は、リミッタ６を通じて得られるフライバック・パルスから取り出した水平基準（Ｈ−ＲＥＦ）を移相して、Ｈ−ＢＬＫとＦＢＰ′間の時間的一致を得るために、移相器５中で使用される。図２ｅはブランキングが、信号Ｈ−ＲＥＦ*について移相されていることを、破線で示している。図２ｂに戻って、出力ビデオ信号ＶＩＤＡは帰線期間に対して遅延されている。ブランキング期間を表わす信号に応じて水平基準パルスを移相することによって、ブランキングの開始点が時点ｔcから時点ｔaに進められて、ビデオ出力信号は、図２ｆに示されるように、帰線期間の中心に位置づけられる。このループの誤動作を防ぐために、ＶＲ１とＶＲ２は垂直期間中維持される。
また別の実施例においては、ブランキング期間の位相が制御されるもので、フィードバック・ループ内で移相器５が、ブランキング期間を表わしている制御信号ＶＲ１またはＶＲ２に応動するようになっている。
水平ブランキング発生器を構成する回路が図３に示されている。フライバック・パルスＦＬＹは、水平偏向トランジスタから直接取り出されて、ＦＢＰ検知器に供給される。水平帰線期間を表わすパルスＦＢＰ′を得るために、フライバック・パルスＦＬＹの立上り端と立下り端とを検出しなければならない。フライバック・パルスはＣ１０とＲ１０によって微分される。微分された信号はダイオードＤ１０とＤ１１を介してトランジスタＱ１０を駆動する。Ｃ１１は、微分されたフライバック・パルスのゼロ交差の期間中上記トランジスタがターンオフすることを阻止している。Ｑ１１はその信号の形状を改善して反転させる。
Ｈ−ＢＬＫ検出器はビデオ出力増幅器の入力からビデオ信号を受け取る。ビデオ信号は妨害を受けているかも知れないから、その増幅器の出力は適切なものではない。Ｑ１はその信号をバッファし、Ｃ３はその直流成分を阻止し、Ｑ２は水平ブランキング期間中その信号を０．６Ｖにクランプし水平ブランキング・パルスを増幅する。
位相−直流変換器においては、ＦＢＰ′とＨ−ＢＬＫの正の部分が時間的に一致すると、Ｄ２、Ｄ１３およびＲ４０から成る回路中にパルスＥＲ１を発生する。同様に、上記２つの信号の負の部分が時間的に一致すると、Ｄ３、Ｄ１４およびＲ４３によって、パルスＥＲ２が得られる。ＥＲ１とＥＲ２は、それぞれ、Ｄ４０、Ｃ４０およびＤ４１、Ｃ４１によって直流の信号ＶＲ１とＶＲ２に変換される。
移相器では、Ｃ２０を、抵抗Ｒ２１、Ｒ２２およびＤ２０を介して充電し、またＲ２２を介して放電することによって、ＦＢＰ′に同期した信号Ｖrampが発生する。Ｖrampは、２個の比較器Ｕ１ａとＵ１ｂ中でＥＲ１およびＥＲ２と比較される。ＶrampがＶＲ１を超えるとＵ１ｂの出力は「高」となって、位相補正されたブランキング・パルスＨ−ＲＥＦ*のスタートを開始する。これと反対に、上記ランプがＶＲ２を超えると、このパルスを終了させる。
Ｈ−ＢＬＫ検出器は、水平ブランキングと垂直ブランキングとを区別することができない。従って、誤動作（フォールト、ｆａｕｌｔ）保護回路用に、垂直偏向コイルにおいて、ＶＥＲＴが取り出される。垂直パルスの期間中、Ｄ４０とＤ４１とは、それぞれＱ３０とＱ３１によって逆バイアスされる。
ＴＶ受像機のスイッチ・オンの期間中またはチャンネル変更の期間中、水平偏向動作はビデオ信号に同期しない。間違ったエラー信号が発生しないようにするため、帰線の後縁部（トレーリングパート）期間中ＥＲ１は禁止され、また帰線の前縁部（リーディングパート）の期間中ＥＲ２が禁止される。従って、その時既に存在していたＶrampがＲ２３とＣ２１を介してトランジスタＱ２０に供給される。トランジスタＱ２０は、ブランキング信号の後縁部の期間中Ｄ２１を介してＥＲ１をプルダウンし、またブランキング信号の前縁部の間抵抗Ｒ２６がＤ２２を介してＥＲ２をプルアップする。
【図１】
0003749957.tif 000002
【図２】
0003749957.tif 000003
【図３】
0003749957.tif 000004